(57)【要約】      （修正有）【課題】棚枠材を支柱に取り付けるに際し、係合部材が係合穴から外力により抜け外れることを防止し、しかも、余分な孔加工や錠止め作業を必要としない棚装置を提供する。【解決手段】両端に連接したフランジ２２より支柱１１に向けて突出る頭付ボス２３を設けた棚枠２１と、上部はフランジ頭付ボス２３が入り下部は頭付ボス２３が抜けない嵌合孔１２を穿設した左右の支柱１１と、からなる棚装置において、支柱１１に面当てされる面とは反対側の面に抜け防止具３１を備え、この抜け防止具３１はフランジ貫通孔を貫通し支柱１１側に突き出る抜け防止具ボス３２を有し他端をフランジ２２に固定しており、フランジ頭付ボス２３が支柱の嵌合孔小径部１４に嵌合したときに、抜け防止具ボス３２が支柱の嵌合孔大径部１３に嵌合して、フランジ２２は上方に移動できず支柱１１と棚枠２１は外力による脱落を防止できる。【選択図】図２
2010136967.tif 000002
【特許請求の範囲】
【請求項１】
左右方向を向く棚枠の両端に支柱の前面に面当てされる垂直をなすフランジを連接しこのフランジの適所より支柱の前面に向けて突出る頭付ボスを設けた棚枠と、前面に上部はフランジ頭付ボスが入り下部は頭付ボスが抜けない嵌合孔を穿設した左右の立設する支柱と、からなる棚装置において、支柱に面当てされる面とは反対側の面に板状の抜け防止具を備え、この抜け防止具はフランジの孔を貫通し支柱側に突き出るボスを有し他端をフランジに固定しており、フランジ頭付ボスが支柱の嵌合孔下部に嵌合したときに、フランジの支柱側に突き出た抜け防止具ボスが支柱の嵌合孔上部に嵌合して、フランジは上方に移動できず支柱と棚枠は外力による脱落を防止できることを特徴とする棚装置。  
【請求項２】
請求項１に記載の棚装置であって、フランジの孔を貫通し支柱側に突き出る抜け防止具ボスをフランジ頭付ボスの直近上方に配置し、フランジ頭付ボスが嵌合した支柱の同一嵌合孔の上部に抜け防止具ボスが嵌合したことを特徴とする棚装置。
【請求項３】
抜け防止具は、抜け防止具ボスとは逆端近くの取付部周囲を逆Ｕ字状に開口部を作り、中央部の残された部分の先端にフランジと結合する取付部を設けたことを特徴とする請求項１または請求項２に記載されている棚装置。
【発明の詳細な説明】
【技術分野】
【０００１】
本発明は棚装置に関し、支柱と棚枠の連結をボルト、ナットを用いずに行える技術に関する。          
【背景技術】
【０００２】
棚枠がボルトにより支柱に固定される棚装置は知られている。支柱は各々、互いに間隔が置かれた、かかるボルト用の複数の開口を備えており、その結果棚枠は所望の垂直間隔で多数の棚枠により組み立てられることができる。正しく組み立てられかつすべてのボルトが締め付けられると、かかる棚装置は堅固にできかつ高い負荷支持能力を有するが、多数のボルトを使用するその組立ては面倒でありかつ時間を消費する。
【０００３】
また、本発明と類似した技術として実開平０６−５７２４４、特開昭５５−９１３１１に記載されたものが知られている。実開平０６−５７２４４の装置は図６のように、杆体６２の両端に連設した垂直をなす平板部６３より後方に切り起こした水平突片６４及び下向き鉤状の係合片６５を、左右に立設した支柱前面の係合孔６７に前方より嵌合し、平板部６３の後面または支柱６１の前方の一方に設けた上向き突起６６が、他方に設けた上下一対の小孔のうち上方の小孔６８に嵌合している。
【０００４】
杆体６２を下方移動させると、係合孔６７に嵌合した水平突片６４により、杆体６２は大きく傾くことなく、係合片６５は係合孔下縁に緊密に係合されていく。この係合時、上向き突起６６が上方の小孔６８から外れ、平板部６３または上向き突起６６は変形し、上向き突起６６が支柱前面を乗り上げて下方の小孔６９に嵌合する。
【０００５】
特開昭５５−９１３１１の装置は図７のようにビーム８２のそれぞれの端部の耳状突起８６が孔８５に差し込まれ次いで下方に動かされると、後縁部８７はウエブ８４の内面を柱８１の垂直の側面８３にきつく接触するよう動かす。耳状突起８６の細い頚部８８がスロット８５に並ぶビームがこの低い位置に達すると、スロット８５の上部に空間が生じる。この空間を埋めることにより、耳状突起８６の頭部がスロット８５から引き出される位置にまでビーム８２を引き上げることができないのでビーム８２が柱８１から分離するのを防止する。
【０００６】
スロット８５のこの上部の空間を埋めるため錠止めタブ９１が設けてある。タブ９１はそのルート部分９２が一般には垂直のウエブ８４から３０°以下の僅かな角度片寄らされて、頭部９３が耳状突起８６から僅か後方に間隔をあけられ、水平部材を柱８１に接続する妨げとならないようにする。ビーム８２が柱８１に接続されると、錠止めタブ９１は頭部９３の後端部をハンマーで軽くたたくことによりルート部分９２はウエブ８４の平面に横たわるよう変位される。
【特許文献１】実開平０６−５７２４４号公報
【特許文献２】特開昭５５−９１３１１号公報
【発明の開示】
【発明が解決しようとする課題】
【０００７】
上記の実開平０６−５７２４４の装置にあっては、抜け外れ防止の突起用の孔を２個必要とし、突起が２箇所の孔を移動できるためには、突起あるいは支柱の平板部が強度的にかなり弱いことが求められ、たとえば誤って杆体をフォークリフトで持ち上げたときに突起が破損あるいは変形する恐れがある。
【０００８】
また、特開昭５５−９１３１１の装置では、部材接続後錠止めタブの頭部をハンマーでたたいて錠止めする必要があり、また錠止めを忘れたりする恐れがあるという問題があった。本発明は、従来の技術が有するこのような問題点に鑑み、棚枠を支柱に係合するに際し、より簡単な方法で、より強固に着脱できる装置を提供することを目的としている。  
【課題を解決するための手段】
【０００９】
上記目的を達成するために本発明は、左右方向を向く棚枠の両端に支柱の前面に面当てされる垂直をなすフランジを連接しこのフランジの適所より支柱の前面に向けて突出る頭付ボスを設けた棚枠と、前面に上部はフランジ頭付ボスが入り下部は頭付ボスが抜けない嵌合孔を穿設した左右の立設する支柱と、からなる棚装置において、支柱に面当てされる面とは反対側の面に板状の抜け防止具を備え、この抜け防止具はフランジの孔を貫通し支柱側に突き出るボスを有し他端をフランジに固定しており、フランジ頭付ボスが支柱の嵌合孔下部に嵌合したときに、フランジの支柱側に突き出た抜け防止具ボスが支柱の嵌合孔上部に嵌合して、フランジは上方に移動できず支柱と棚枠は外力による脱落を防止できることを特徴とする。
【００１０】
また本発明は、フランジの孔を貫通し支柱側に突き出る抜け防止具ボスをフランジ頭付ボスの直近上方に配置し、フランジ頭付ボスが嵌合した支柱の同一嵌合孔の上部に抜け防止具ボスが嵌合したことを特徴とする。
【００１１】
また本発明は、抜け防止具は、抜け防止具ボスとは逆端近くの取付部周囲を逆Ｕ字状に開口部を作り、中央部の残された部分の先端にフランジと結合する取付部を設けたことを特徴とする。
【発明の効果】
【００１２】
以上の説明から明らかなように、本発明によればフランジ頭付ボスが支柱の嵌合孔下部に嵌合したときに、フランジの支柱側に突き出た抜け防止具ボスが支柱の嵌合孔上部に嵌合しているので、支柱と棚枠の係合が外力により外れることを確実に防止でき、抜け防止専用の孔加工が不要で、抜け防止のための特別な作業も不要となる。
【発明を実施するための最良の形態】
【００１３】
本考案の実施例を説明する。本実施例では、工場、倉庫等において設置される棚について例示する。図１は棚装置を示す斜視図であり、図２は棚装置の係合部、図３は係合部の断面図、図４はフランジの係合部、図５は抜け防止具をあらわしている。
【００１４】
図２に示す支柱１１は、例えば鋼板製で長手方向すなわち上下方向に連続する断面形状はほぼＣ字状をなしている。フランジ２２と係合する前部には複数の上方はフランジ頭付ボス２３が入り下方は頭付ボスが抜けない嵌合孔１２を加工している。棚枠２１に溶接したフランジ２２に設けた係合用頭付ボス２３が支柱の嵌合孔大径部１３に挿入され、自重によりフランジ２２が下方に下がり支柱の嵌合孔小径部１４でフランジ頭付ボス頭部２４が引っかかり支柱１１とフランジ２２の両部材が係合される。
【００１５】
支柱１１とフランジ２２を支柱の嵌合孔１２とフランジ頭付ボス２３で係合した状態で、棚枠２１に下方より上方への外力が加わった場合には係合部が外れる可能性がある。たとえば誤ってフォークリフトで棚枠２１を持上げたりすると係合部が外れる恐れがある。そのために、抜け防止具３１をフランジ２２に装着して外力による脱落を防止する。
【００１６】
その際、フランジ２２には事前に抜け防止具３１が支柱１１と面当てされるフランジ２２の反対側の面に具備されており、抜け防止具ボス３２がフランジ貫通孔２９を貫通してフランジ頭付ボス２３の直近上方に突出している。支柱１１とフランジ２２を係合させる際、支柱の嵌合孔大径部１３にフランジ頭付ボス２３を係合させフランジ２２を支柱１１に面当てすると、抜け防止具ボス３２は支柱１１の前面に当り、抜け防止具３１は反り返る。
【００１７】
そのままフランジ２２を下方にスライドし、フランジ頭付ボス２３が支柱の嵌合孔小径部１４に嵌合したときに、図３に示すように抜け防止具ボス３２は支柱の嵌合孔大径部１３にはまり込む。これにより、フランジ２２は上方に逃げられず、外力が加わっても支柱１１から外れることはない。
【００１８】
図４はフランジ２２の係合部を示しており、支柱の嵌合孔１２に係合するフランジ頭付ボス２３をフランジ２２に溶接具備している。フランジ頭付ボス２３は先端部の直径を大きくしたフランジ頭付ボス頭部２４を備え横抜けを防止する。フランジ２２には抜け防止具３１をワンタッチで装着するためのフランジ長孔２５および抜け防止具ボス３２の出入できるフランジ貫通孔２６が加工されている。
【００１９】
図５は抜け防止具３１を示しており、支柱の嵌合孔大径部１３に嵌合する抜け防止具ボス３２とは逆端近くに抜け防止具取付部３４が加工されている。抜け防止具３１の寸法を小さくして効果を得るために、抜け防止具取付部３４の周囲３方向を逆Ｕ字状に抜け防止具Ｕ字開口部３５を加工してより小さい部品でスプリング効果をだせるようにしている。図２に表すように、抜け防止具取付部３４はフランジ２２に事前組立し、抜け防止具ボス３２がフランジ貫通孔２６より支柱側に突出した棚枠組付け品とする。
【００２０】
支柱１１とフランジ２２の係合手順として、事前に抜け防止具３１をフランジ２２に装着準備し、フランジ２２を支柱の嵌合孔１２に対比させ、フランジ頭付ボス２３を支柱の嵌合孔大径部１３に挿入する。このとき、抜け防止具ボス３２は支柱の嵌合孔１２の上方壁面に当たるため、フランジ部２２を支柱１１に面当りするまで押付けることにより、抜け防止具３１は板バネのように反り返る。その状態のままフランジ２２を下方にずらすことにより、フランジ頭付ボス２３が支柱の嵌合孔小径部１４に嵌合するとともに抜け防止具ボス３２が支柱の嵌合孔大径部１３に嵌合する。
【００２１】
この状態になると、一つの支柱の嵌合孔１２にフランジ頭付ボス２３と抜け防止具ボス３２が入りフランジ２２を上方にずらせなくなり、フランジ頭付ボス頭部２４が支柱の嵌合孔小径部１４から外れることはなくなる。その結果として支柱１１と棚枠２１が外力により係合状態が外れる恐れはなくなる。
【００２２】
逆に支柱１１と棚枠２１を解体分離する場合には、先に支柱後方に突き出た抜け防止具ボス３２を指で押すか小金属片等により抜け防止具３１を外力で外側に反り返らして抜け防止具ボス３２を支柱の嵌合孔１２より外側まで外した状態のままフランジ２２を上方にずらし、フランジ頭付ボス２３を支柱の嵌合孔大径部１３の位置にて抜取り解体する。
【図面の簡単な説明】
【００２３】
【図１】本考案の一実施例にかかる棚装置を示す斜視図。
【図２】棚装置の係合状態を表した図面。
【図３】Ａ−Ａ断面図。
【図４】フランジの斜視図と断面図。
【図５】抜け防止具の斜視図。
【図６】従来例を表した図面。
【図７】別の従来例を表した図面。
【符号の説明】
【００２４】
１１  支柱
１２  支柱の嵌合孔
１３  支柱の嵌合孔  大径部
１４  支柱の嵌合孔  小径部
２１  棚枠
２２  フランジ
２３  フランジ頭付ボス
２４  フランジ頭付ボス  頭部
２５  フランジ長孔  
２６  フランジ貫通孔
３１  抜け防止具
３２  抜け防止具  ボス
３４  抜け防止具  取付部
３５  抜け防止具  Ｕ字開口部
６１  支柱
６２  杆体
６３  平板部
６４  水平突片
６５  下向き鉤状の係合片
６６  上向き突起
６７  係合孔
６８  、６９  上下一対の小孔
８１  柱
８２  ビーム
８３  柱側面
８４  ウエブ
８５  スロット
８６  耳状突起
８７  突起後縁部
９１  錠止めタブ
９２  ルート部分
９３  頭部
【図１】
2010136967.tif 000003
【図２】
2010136967.tif 000004
【図３】
2010136967.tif 000005
【図４】
2010136967.tif 000006
【図５】
2010136967.tif 000007
【図６】
2010136967.tif 000008
【図７】
2010136967.tif 000009